(57)【要約】【課題】ユーザに課金の有無等に基づいて、放送番組またはＶＯＤコンテンツのいずれか優位な方を自動的に再生する。【解決手段】映像再生装置１は、再生中のＶＯＤコンテンツの再生が中断されたときに、当該コンテンツにおける当該中断した位置を第１の位置として記録する視聴情報記録部２７０と、ＶＯＤコンテンツに対応する放送番組情報における現在放送中の位置を第２の位置として取得する番組視聴情報取得部２３０と、再生が中断されているＶＯＤコンテンツの再生の再開をすべき旨を受け付けたときは、前記第１の位置と前記第２の位置とを比較し、この比較した結果に応じて前記放送番組情報が前記第２の位置から出力されるように制御する視聴動作制御部２８０とを備える。【選択図】図２
2010016587.tif 000002
【特許請求の範囲】
【請求項１】
放送番組およびビデオ・オン・デマンド・コンテンツの再生を行う映像再生装置であって、
再生中の前記ビデオ・オン・デマンド・コンテンツの再生が中断されたときに、前記ビデオ・オン・デマンドコンテンツにおける当該中断した位置を第１の位置として記録する記録手段と、
前記ビデオ・オン・デマンド・コンテンツに対応する前記放送番組における現在放送中の位置を第２の位置として取得する取得手段と、
前記ビデオ・オン・デマンド・コンテンツの再生を再開するとき、前記第１の位置と前記第２の位置とを比較し、この比較した結果に応じて前記放送番組または前記ビデオ・オンン・デマンド・コンテンツのいずれか一方を選択して再生する制御手段と、
を有することを特徴とする映像再生装置。
【請求項２】
前記制御手段は、前記第1の位置と前記第２の位置との差が予め定められた範囲内であるときは、前記放送番組を前記第２の位置から再生することを特徴とする請求項１に記載の映像再生装置。
【請求項３】
前記制御手段は、前記第1の位置と前記第２の位置との差が予め定められた範囲外であるときは、前記ビデオ・オン・デマンド・コンテンツを前記第１の位置から再生することを特徴とする請求項１に記載の映像再生装置。
【請求項４】
前記ビデオ・オン・デマンド・コンテンツの視聴にかかる課金情報を取得する課金情報取得手段を更に備え、
前記制御手段は、前記課金情報取得手段によって取得された課金情報に基づき前記放送番組が前記第２の位置から再生することを特徴とする請求項１に記載の映像再生装置。
【請求項５】
前記第１の位置と前記第２の位置とを比較し、この比較した結果に応じて前記放送番組に関して前記第２の位置から録画を行う録画制御手段、を更に備え
前記制御手段は、前記ビデオ・オン・デマンド・コンテンツの再生を再開するとき、前記録画制御手段によって放送番組が録画されていることを条件に、前記録画されている放送番組を再生することを特徴とする請求項１に記載の映像再生装置。
【請求項６】
放送番組およびビデオ・オン・デマンド・コンテンツの再生を行う映像再生方法であって、
再生中の前記ビデオ・オン・デマンド・コンテンツの再生が中断されたときに、前記ビデオ・オン・デマンドコンテンツにおける当該中断した位置を第１の位置として記録する工程と、
前記ビデオ・オン・デマンド・コンテンツに対応する前記放送番組における現在放送中の位置を第２の位置として取得する工程と、
前記ビデオ・オン・デマンド・コンテンツの再生を再開するとき、前記第１の位置と前記第２の位置とを比較し、この比較した結果に応じて前記放送番組を前記第２の位置から再生する工程と、
を有することを特徴とする映像再生方法。
【発明の詳細な説明】
【技術分野】
【０００１】
本発明は、放送番組とビデオ・オン・デマンド・コンテンツの再生を行う映像再生装置及び映像再生方法に関するものである。
【背景技術】
【０００２】
現在、視聴者が所望する時間に所望するコンテンツを視聴することが可能なビデオ・オン・デマンド（Ｖｉｄｅｏ  Ｏｎ  Ｄｅｍａｎｄ、以下「ＶＯＤ」という。）が普及している。ＶＯＤは、映画や過去に放送されたドラマ等のコンテンツが要求元のユーザに対して配信する。
【０００３】
特許文献１及び特許文献２は、ＶＯＤコンテンツを再生する装置を開示している。
特許文献１は、放送中の放送番組と同じ内容のＶＯＤコンテンツをアーカイブから取得し、この取得したＶＯＤコンテンツに対して、前記放送番組における録画していない部分への巻き戻しや未放送部分への早送りを行う映像表示装置を開示している。
【０００４】
特許文献２は、ＶＯＤコンテンツの視聴中に入力切換が行われたときにＶＯＤコンテンツの再生を停止し、再度、ＶＯＤコンテンツの視聴に切り換えられたときは、当該ＶＯＤコンテンツについて、ＶＯＤコンテンツの再生を停止した位置から再生を行う映像表示装置を開示している。
【特許文献１】特開２００５−１３６９７４号公報
【特許文献２】特開２００４−３６４２２７号公報
【発明の開示】
【発明が解決しようとする課題】
【０００５】
ところで、従来の映像表示装置が放送中の番組と同じ内容のＶＯＤコンテンツをアーカイブから取得し、この取得したＶＯＤコンテンツを基に未放送部分を再生しているときに（ユーザが未放送部分を視聴している際に）、ユーザが一時的に視聴を停止し、再度同じ位置から視聴を再開することがある。
【０００６】
このとき、ＶＯＤコンテンツの再生の停止中に、放送中の番組が停止中のＶＯＤコンテンツの内容に追いつくことがある。そのため、ユーザは、視聴を停止する前は未放送部分を視聴していても、ＶＯＤコンテンツの視聴を再開した時には、すでに放送済みになっている部分を視聴することになる場合がある。
【０００７】
ユーザが視聴しているＶＯＤコンテンツの内容と放送中の番組の内容とに差がない場合には、ＶＯＤコンテンツにより放送番組の放送済み部分を視聴しても問題はない。しかしながら、例えば、ＶＯＤコンテンツの視聴に対して課金がある場合、ＶＯＤコンテンツの視聴を行うよりも放送番組を視聴した方がユーザにとって優位である場合がある。
【０００８】
ユーザがさらにＶＯＤコンテンツの視聴中に様々な操作をした時、ユーザが、ＶＯＤコンテンツの視聴を継続した方がいいのか、又は放送番組の視聴に切り換えた方がいいのかを判断するのは困難である。その結果、ユーザが放送番組を視聴した方が優位な場合であっても、ユーザがＶＯＤコンテンツの視聴を継続し、ユーザが課金等による不利益を被るという問題があった。
【０００９】
本発明の課題は、放送番組と同じ内容のコンテンツがビデオ・オン・デマンドで再生している場合に、ユーザに課金の有無等に基づいて、放送番組またはＶＯＤコンテンツのいずれか優位な方を自動的に再生する映像再生装置及び映像再生方法を提供することにある。
【課題を解決するための手段】
【００１０】
課題を解決するため、本発明は、放送番組およびビデオ・オン・デマンド・コンテンツの再生を行う映像再生装置であって、再生中のビデオ・オン・デマンド・コンテンツの再生が中断されたときに、ビデオ・オン・デマンドコンテンツにおける当該中断した位置を第１の位置として記録する記録手段と、ビデオ・オン・デマンド・コンテンツに対応する放送番組における現在放送中の位置を第２の位置として取得する取得手段と、ビデオ・オン・デマンド・コンテンツの再生を再開するとき、第１の位置と第２の位置とを比較し、この比較した結果に応じて前記放送番組または前記ビデオ・オンン・デマンド・コンテンツのいずれか一方を選択して再生する制御手段とを有することを特徴とする。
【発明の効果】
【００１１】
本発明によれば、映像再生装置は、放送番組と同じ内容のビデオ・オン・デマンド・コンテンツを再生するとき、放送番組の進行状況とＶＯＤコンテンツの進行状況とを比較し、放送番組の再生に自動的に切り換える。したがって、ユーザは、課金の有無に応じて、放送番組またはＶＯＤコンテンツのいずれか優位な方を自動的に視聴することができる。
【発明を実施するための最良の形態】
【００１２】
以下、本発明を実施するための最良の形態について図面等を参照して説明する。
（第１の実施形態）
図１は、本発明の第１の実施形態に係る映像再生装置を含むビデオ・オン・デマンド・システムの構成を示す図である。
【００１３】
ビデオ・オン・デマンド・システムは、アンテナ２及びリモコン５を備えた映像再生装置１と、ネットワーク３と、ＶＯＤサーバ４と、モニタ６を含んでいる。映像再生装置１は、ネットワーク３を介して、ＶＯＤサーバ４と接続されている。映像再生装置１には、モニタ６が接続されている。
【００１４】
映像再生装置１は、アンテナ２を介して放送局（不図示）からの放送波を受信するとともに、ネットワーク３を介してＶＯＤサーバ４に接続しＶＯＤサーバ４からのＶＯＤコンテンツを受信する。映像再生装置１は、また、リモコン５からの操作情報を受信し、この操作情報に基づいてチャンネルの選局、ＶＯＤコンテンツの再生等を行う。映像再生装置１は、さらに、受信した放送波に対応する放送番組又はＶＯＤコンテンツをモニタ６へ出力する。
【００１５】
図２は、第１の実施形態に係る映像再生装置の機能構成を示すブロック図である。
第１の実施形態である映像再生装置１は、ＶＯＤコンテンツの再生を一時的に停止し、続いて再生を再開した場合に、一定の条件下で、自動的にＶＯＤコンテンツの再生から放送番組の再生に切り換えることができる。
【００１６】
映像再生装置１は、図２に示すように、ユーザインターフェース部２１０と、放送受信・再生部２２０と、番組視聴情報取得部２３０と、同一コンテンツ検索部２４０と、ＶＯＤ受信・再生部２５０と、ＶＯＤ視聴情報取得部２６０と、視聴情報記録部２７０と、視聴動作制御部２８０と、出力切換部２９０とを備えている。
【００１７】
ユーザインターフェース部２１０は、ユーザからの指示を受け取り、これを視聴動作制御部２８０に受け渡す。
【００１８】
放送受信・再生部２２０は、視聴動作制御部２８０から指示された選局チャンネルに基づいて選局を行い、アンテナ２が受信した放送波を多重化された番組データに復調する。ここで、番組データとは、番組を構成する映像信号や音声信号などをＭＰＥＧ２（Ｍｏｖｉｎｇ  Ｐｉｃｔｕｒｅ  Ｅｘｐｅｒｔｓ  Ｇｒｏｕｐ  ２：カラー動画像符号化方式標準化グループの第２規格）トランスポート・ストリーム（Ｔｒａｎｓｐｏｒｔ  Ｓｔｒｅａｍ：ＴＳ）方式により多重化したデータをいう。
【００１９】
放送受信・再生部２２０は、また、番組データを映像、音声およびデータに分離し、映像および音声を復号して出力切換部２９０に出力し、データを番組属性情報に変換する。すなわち、放送受信・再生部２２０によって分離された映像および音声はＭＰＥＧ２方式により圧縮符号化されているため、放送受信・再生部２２０は、映像および音声のそれぞれを復号して、出力切換部２９０へ出力する。放送受信・再生部２２０によって変換された番組属性情報とは、図４に示すように、放送番組の識別ＩＤや放送されるチャンネル、番組タイトル、放送開始日時、放送時間を含んでいる。番組属性情報はＶＯＤコンテンツの検索等に用いられる。放送受信・再生部２２０は、さらに、番組属性情報に含まれる現在時刻や現在日付に基づいて映像再生装置１内の現在日時を管理する。
【００２０】
番組視聴情報取得部２３０は、番組属性情報を、放送受信・再生部２２０から取得し保持するとともに、視聴動作制御部２８０からの要求に基づき受け渡す。番組視聴情報取得部２３０は、また、放送受信・再生部２２０から現在日時を取得し、この取得した現在日時と上記取得した番組属性情報内の放送開始日時との差をもとに、放送番組の経過時間を計算する。放送番組の経過時間は、後述する第２の位置、すなわち放送番組における現在放送中の位置（放送番組現在位置）に相当する。番組視聴情報取得部２３０は、現在放送中の位置を第２の位置として取得する取得手段として機能する。
【００２１】
同一コンテンツ検索部２４０は、視聴動作制御部２８０から受け渡された番組属性情報をもとに、インターネット３を通じてＶＯＤサーバ４上に放送番組と同じ内容のＶＯＤコンテンツが存在しているかを検索する。同一コンテンツ検索部２４０は、この検索した結果、放送番組の内容と同一のＶＯＤコンテンツが存在する場合、当該ＶＯＤコンテンツの所在情報および課金情報を視聴動作制御部２８０へ通知する。すなわち、同一コンテンツ検索部２４０は、ＶＯＤコンテンツの視聴にかかる課金情報を取得する課金情報取得手段として機能する。
【００２２】
ここで、図４に示すように、所在情報とは、インターネット上の情報資源に与えられた識別子であるＵＲＩ(Ｕｎｉｆｏｒｍ  Ｒｅｓｏｕｒｃｅ  Ｉｄｅｎｔｉｆｉｅｒ)である。課金情報は、図４の項目“課金種別”に示すＶＯＤコンテンツ視聴にかかる課金の種別を含む情報である。定額は、無料もしくは一定の金額を課金することをいい、従量とは視聴時間の長さに応じて課金することをいう。課金種別は、ＶＯＤコンテンツ自体にかかる課金以外に、ＶＯＤコンテンツを受信するために必要な通信料を元に求めることができる。
【００２３】
ＶＯＤ受信・再生部２５０は、視聴動作制御部２８０から受け渡されたＶＯＤコンテンツの所在情報をもとにＶＯＤコンテンツをインターネット３上のＶＯＤサーバ４より受信し再生するとともに、受信したＶＯＤコンテンツを再生した映像および音声を出力切換部２９０へ出力する。
【００２４】
ＶＯＤ視聴情報取得部２６０は、ＶＯＤ受信・再生部２５０から、再生中のＶＯＤコンテンツにおける現在の再生位置を表す再生時間を取得する。
【００２５】
視聴情報記録部２７０は、ＶＯＤコンテンツ情報、および再生対象のＶＯＤコンテンツとＶＯＤコンテンツ情報との対応を示す情報を保持する。視聴情報記録部２７０は、再生中のＶＯＤコンテンツの再生が中断されたときに、ＶＯＤコンテンツにおける当該中断した位置を第１の位置として記録する記録手段として機能する。
【００２６】
ここで、ＶＯＤコンテンツ情報は、ＶＯＤコンテンツと同じ内容の放送番組に関する情報を含むものであり、放送番組毎に図４に示す構造のデータになっている。また、ＶＯＤ視聴復帰位置は、ＶＯＤコンテンツの現在の視聴位置、すなわち第１の位置を表す再生時間であり、ＶＯＤコンテンツの再生の中断後、ＶＯＤ視聴を再開する際にそれまでに視聴していた位置から継続して視聴するために使用される。
【００２７】
視聴動作制御部２８０は、ユーザインターフェース部２１０から受け取った指示、ＶＯＤ視聴情報取得部２６０から取得したＶＯＤコンテンツ情報、および番組視聴情報取得部２３０から取得した番組属性情報に基づき、放送受信、ＶＯＤ受信、出力切換等の指示を含む制御を行う。
【００２８】
具体的には、視聴動作制御部２８０は、放送受信を開始する際には、放送受信・再生部２２０への選局チャンネルの指示、出力切換部２９０に対する出力切換指示を行う。視聴動作制御部２８０は、また、番組視聴情報取得部２３０から取得した番組属性情報をもとに同一コンテンツ検索部２４０を使用して放送番組と同じ内容のＶＯＤコンテンツの所在情報、課金情報を取得する。視聴動作制御部２８０は、さらに、上記取得したＶＯＤコンテンツの所在情報、課金情報を、検索条件として使用した番組属性情報とともに視聴情報記録部２７０にＶＯＤコンテンツ情報として記録する。
【００２９】
視聴動作制御部２８０は、また、放送を開始していない放送番組に対しても同様の処理を行う。すなわち、視聴動作制御部２８０は、電子番組表等により番組属性情報を表示する時に、番組属性情報をもとに同一コンテンツ検索部２４０を使用して放送番組と同じ内容のＶＯＤコンテンツの所在情報、課金情報を取得し、これら所在情報および課金情報をＶＯＤコンテンツ情報として視聴情報記録部２７０に記録する。
【００３０】
視聴動作制御部２８０は、また、ユーザインターフェース部２１０から受け渡されたユーザの指示により放送番組と同じ内容のＶＯＤコンテンツの視聴を開始する際には、視聴情報記録部２７０から放送番組と同じ内容のＶＯＤコンテンツの所在情報を取得する、続いて、視聴動作制御部２８０は、この所在情報をＶＯＤ受信・再生部２５０に受け渡すことによりＶＯＤ受信を行うとともに、出力切換部２９０に対する出力切換指示を行う。すなわち、視聴動作制御部２８０は、ＶＯＤコンテンツの再生を再開するとき、第１の位置と第２の位置とを比較し、この比較した結果に応じて前記放送番組を第２の位置から再生する制御手段として機能する。
【００３１】
出力切換部２９０は、視聴動作制御部２８０からの出力切換指示に従い、放送受信・再生部２２０の出力と、ＶＯＤ受信・再生部２５０の出力のどちらをモニタ６へ出力するかを切り換える。
【００３２】
次に、第１の実施形態に係る視聴動作制御部２８０による処理の一例について、図３を参照して詳細に説明する。なお、図３は、視聴動作制御部２８０による処理の処理手順を示すフローチャートである。
【００３３】
まず前提条件として、ユーザが放送番組の視聴中に未放送部分への早送りを指示する、もしくは電子番組表等により放送を開始していない放送番組を選択し、ＶＯＤ視聴の開始を指示する。このとき、放送番組と同じ内容のＶＯＤコンテンツを再生している状態において、視聴動作制御部２８０は、ユーザインターフェース部２１０からＶＯＤ視聴の一時停止指示を受け取る。
【００３４】
ステップＳ３０１において、視聴動作制御部２８０は、ＶＯＤ受信・再生部２５０に対してＶＯＤコンテンツの再生の停止を指示する。
【００３５】
ステップＳ３０２において、視聴動作制御部２８０は、ＶＯＤ視聴情報取得部２６０からＶＯＤコンテンツの現在の視聴位置を表す再生時間を取得し、この再生時間（ＶＯＤ視聴復帰位置＝第１の位置）を視聴情報記録部２７０にＶＯＤコンテンツ情報として記録する。
【００３６】
ステップＳ３０３において、視聴動作制御部２８０は、ユーザインターフェース部２１０からＶＯＤ視聴再開の指示を受け取るまでＶＯＤ視聴を中断し、ＶＯＤ視聴再開の指示を受け取ったらステップＳ３０４にすすむ。
【００３７】
ステップＳ３０４において、視聴動作制御部２８０は、視聴情報記録部２７０からＶＯＤコンテンツ情報として再生対象のＶＯＤコンテンツの課金情報およびＶＯＤ視聴復帰位置を取得する。
【００３８】
ステップＳ３０５において、視聴動作制御部２８０は、再生対象のＶＯＤコンテンツの課金情報を参照して、再生対象のＶＯＤコンテンツが視聴時間に応じて課金が増加するかどうかを判定する。そして、視聴動作制御部２８０は、再生対象のＶＯＤコンテンツの課金情報に含まれる課金種別が“定額”の場合には視聴時間に応じて課金が増加しないと判定し、ステップＳ３０６に進み、一方、前記課金種別が“従量”の場合は課金が増加すると判定し、ステップＳ３０７に進む。
【００３９】
ステップＳ３０６において、視聴動作制御部２８０は、ＶＯＤ受信・再生部２５０に対してＶＯＤコンテンツ情報に基づきＶＯＤ視聴復帰位置からＶＯＤ視聴を開始するように指示するとともに、出力切換部２９０に対しＶＯＤ受信・再生部２５０の出力をモニタ６へ出力するように出力切換指示を行う。
【００４０】
ステップＳ３０７において、視聴動作制御部２８０は、番組視聴情報取得部２３０から、再生対象のＶＯＤコンテンツと同じ識別ＩＤをもつ放送番組の番組属性情報と、当該放送番組の現在放送中の位置を表す放送番組の経過時間（放送番組現在位置、すなわち第２の位置）とを取得する。
【００４１】
ステップＳ３０８において、視聴動作制御部２８０は、ステップＳ３０７で取得した放送番組の経過時間（第２の位置）と、ステップＳ３０４で取得したＶＯＤコンテンツの再生時間であるＶＯＤ視聴復帰位置（第１の位置）とを比較し、この比較した結果である時間の差が予め定められた範囲内であるかどうかを判定する。予め定められた範囲としてはＶＯＤ視聴復帰位置を基準に経過時間が２分前から５秒後の範囲等を用いる。上記時間の差が、予め定められた範囲内にある場合はステップＳ３０９に進み、一方、予め定められた範囲外にある場合はステップＳ３０６に進む。
【００４２】
ステップＳ３０９において、視聴動作制御部２８０は、放送受信・再生部２２０に対して選局を開始するように指示するとともに、出力切換部２９０に対し放送受信・再生部２２０の出力をモニタ６へ出力するように出力切換指示を行う。
【００４３】
図５は、第１の実施形態に係る放送番組の放送状態と視聴しているＶＯＤコンテンツとの関係を示す図である。なお、図５において、横軸方向は時間の経過を表す。この例ではＶＯＤ視聴に対して従量制の課金がかかるものとする。
【００４４】
時刻ｔ１において、ユーザが放送番組と同じ内容のＶＯＤコンテンツの視聴（再生）を開始したものとする。
【００４５】
時刻ｔ２において、ユーザからの一時停止指示により、映像表示装置１はＶＯＤコンテンツの視聴（再生）が中断する。
【００４６】
時刻ｔ３において、放送番組の放送が開始される。
【００４７】
時刻ｔ４において、視聴動作制御部２８０は、ユーザからのＶＯＤコンテンツの視聴を再開する指示を受け取ると、ＶＯＤコンテンツの再生時間Ｔ１（ｔ２−ｔ１）と放送番組の経過時間Ｔ２（ｔ４−ｔ３）とを比較する。視聴動作制御部２８０は、比較した結果、前記２つの時間の差が予め定められた範囲内にある場合、視聴状態をＶＯＤコンテンツの視聴の代わりに放送番組の視聴に切り換える。
【００４８】
例えば、ＶＯＤコンテンツの再生時間Ｔ１が１６分、放送番組の経過時間Ｔ２が１５分、比較に使用する範囲（すなわち、予め定められた範囲）がＶＯＤコンテンツの再生時間Ｔ１を基準に「２分前から５秒後の範囲」とする。この場合、視聴動作制御部２８０は、ＶＯＤコンテンツの再生時間Ｔ１の１６分に対して放送番組の経過時間Ｔ２が１５分で１分前になり、この１分前は「２分前から５秒後の範囲」に入ると判定し、視聴状態をＶＯＤコンテンツの視聴にせず放送番組の視聴に切り換える。
【００４９】
以上説明したように、第１の実施形態は、放送番組と同じ内容のＶＯＤコンテンツが視聴される際に、放送番組の進行状況とＶＯＤコンテンツの進行状況とを比較し、前記２つの進行状況に対応する内容に差がない場合に、放送番組の視聴に自動的に切り換える。したがって、ユーザは、課金の有無に応じて、放送番組またはＶＯＤコンテンツのいずれか優位な方を自動的に視聴することができる。
【００５０】
（第２の実施形態）
第２の実施形態は、ＶＯＤコンテンツの再生を一時的に停止し、続いて再生を再開した場合に、自動的に、録画しておいた放送番組の再生に切り換えるようにしたものである。
【００５１】
図６は、第２の実施形態に係る映像再生装置の機能構成を示すブロック図である。
図６の映像再生装置１０１は、図２に示した第１の実施形態の映像再生装置１に対して、放送記録・再生部６２５および記録メディア部６２６を追加し、また視聴動作制御部２８０を視聴・録画動作制御部６８０に変更した機能構成になっている。
【００５２】
なお、第２の実施形態において、ユーザインターフェース部２１０、放送受信・再生部２２０、番組視聴情報取得部２３０、同一コンテンツ検索部２４０、ＶＯＤ受信・再生部２５０、ＶＯＤ視聴情報取得部２６０、視聴情報記録部２７０、出力切換部２９０は、図２に示した構成要素と同様のものであるので、その詳細な説明を省略する。
【００５３】
放送記録・再生部６２５には、記録動作時に放送受信・再生部２２０から番組データを取得し、この取得した番組データを記録メディア部６２６に保存し管理する。また、放送記録・再生部６２５は、再生動作時には、記録メディア部６２６から番組データを取得し、この取得した番組データを映像および音声に復号して出力切換部２９０へ出力する。
【００５４】
記録メディア部６２６は、番組データを記録するものであり、例えばハードディスクドライブ等を表す。第２の実施形態において、記録メディア部６２６に記録された番組データは、録画された放送番組を意味する。
【００５５】
視聴・録画動作制御部６８０は、第１の実施形態での視聴動作制御部２８０の機能（動作）に加えて、放送記録・再生部６２５に対して番組データの記録を指示する機能を有している。
【００５６】
第２の実施形態において、上記記録手段は視聴情報記録部２７０に対応し、上記取得手段は番組視聴情報取得部２３０に対応し、上記録画制御手段は視聴・録画動作制御部６８０、放送記録・再生部６２５および記録メディア部６２６に対応し、上記制御手段は視聴・録画動作制御部６８０に対応し、上記課金情報取得手段は同一コンテンツ検索部２４０に対応する。また、上記第１の位置はＶＯＤ視聴復帰位置（ＶＯＤコンテンツの現在の視聴位置を表す再生時間）に対応し、上記第２の位置は放送番組の経過時間に対応し、上記録画された放送番組は記録メディア部６２６に記録された番組データに対応する。
【００５７】
次に、第１の実施形態に係る視聴・録画動作制御部６８０による処理について、図７を参照して詳細に説明する。なお、図７は、視聴・録画動作制御部６８０による処理の処理手順を示すフローチャートである。
【００５８】
まず前提条件として、ＶＯＤ受信・再生部２５０は、視聴・録画動作制御部６８０の指示により放送番組と同じ内容のＶＯＤコンテンツを再生している。このとき、ユーザインターフェース部２１０がＶＯＤ視聴の一時停止指示を受け取ったものとする。
【００５９】
ステップＳ７０１において、視聴・録画動作制御部６８０は、ＶＯＤ受信・再生部２５０に対してＶＯＤコンテンツの再生の停止を指示する。
【００６０】
ステップＳ７０２において、視聴・録画動作制御部６８０は、ＶＯＤ視聴情報取得部２６０からＶＯＤコンテンツの現在の視聴位置を表す再生時間を取得し、この再生時間（ＶＯＤ視聴復帰位置＝第１の位置）を視聴情報記録部にＶＯＤコンテンツ情報として記録する。
【００６１】
ステップＳ７０４において、視聴・録画動作制御部６８０は、視聴情報記録部からＶＯＤコンテンツ情報として再生対象のＶＯＤコンテンツの課金情報およびＶＯＤ視聴復帰位置を取得する。
【００６２】
ステップＳ７０５において、視聴・録画動作制御部６８０は、再生対象のＶＯＤコンテンツの課金情報を参照して再生対象のＶＯＤコンテンツが視聴時間に応じて課金が増加するかどうかを判定する。視聴・録画動作制御部６８０は、再生対象のＶＯＤコンテンツの課金情報に含まれる課金種別が“定額”の場合には視聴時間に応じて課金が増加しないと判定し、ステップＳ７１１に進み、一方、課金種別が“従量”の場合は課金が増加すると判定し、ステップＳ７１２に進む。
【００６３】
ステップＳ７１１において、視聴・録画動作制御部６８０は、ユーザインターフェース部２１０からＶＯＤ視聴再開の指示を受け取るまでＶＯＤ視聴を中断し、ＶＯＤ視聴再開の指示を受け取ったらステップＳ７１６にすすむ。
【００６４】
ステップＳ７１２において、視聴・録画動作制御部６８０は、ユーザインターフェース部２１０からＶＯＤ視聴再開の指示を受け取っているかどうかを確認し、この確認した結果、ＶＯＤ視聴再開の指示を受け取っていたらステップＳ７１６に進み、一方、再開指示を受け取っていない場合はステップＳ７１３に進む。
【００６５】
ステップＳ７１３において、視聴・録画動作制御部６８０は、番組視聴情報取得部２３０から、再生対象のＶＯＤコンテンツと同じ識別ＩＤをもつ放送番組の番組属性情報と、当該放送番組の現在放送中の位置を表す放送番組の経過時間（放送番組現在位置、すなわち第２の位置）とを取得する。
【００６６】
ステップＳ７１４において、視聴・録画動作制御部６８０は、ステップＳ７１３で取得した放送番組の経過時間（第２の位置）と、ステップＳ７０４で取得したＶＯＤコンテンツの再生時間であるＶＯＤ視聴復帰位置（第１の位置）とを比較し、この比較した結果である時間の差が予め定められた範囲内であるかどうかを判定する。予め定められた範囲としては、ＶＯＤ視聴復帰位置を基準に経過時間が２分前から５秒後の範囲等を用いる。上記時間の差が、予め定められた範囲内にある場合はステップＳ７１５に進み、一方、予め定められた範囲外にある場合はステップＳ７１２に進む。
【００６７】
ステップＳ７１５において、視聴・録画動作制御部６８０は、放送記録・再生部６２５に対して、ステップＳ７１３で取得した番組属性情報に従って放送番組（番組データ）の記録動作を行うように指示する。
【００６８】
ステップＳ７１６において、視聴・録画動作制御部６８０は、ステップＳ７１５で記録した放送番組が存在するかを放送記録・再生部６２５に問い合わせて確認する。視聴・録画動作制御部６８０は、この確認した結果、記録した放送番組が録画コンテンツとして存在しない場合はステップＳ７１７に進み、一方、記録した放送番組が録画コンテンツとして存在する場合はステップＳ７１８に進む。
【００６９】
ステップＳ７１７において、視聴・録画動作制御部６８０は、ＶＯＤ受信・再生部２５０に対してＶＯＤコンテンツ情報に基づきＶＯＤ視聴復帰位置からＶＯＤ視聴を開始するように指示するとともに、出力切換部２９０に対しＶＯＤ受信・再生部２５０の出力をモニタ６へ出力するように出力切換指示を行う。
【００７０】
ステップＳ７１８において、視聴・録画動作制御部６８０は、放送記録・再生部６２５に対してステップＳ７１５で記録した放送番組（記録メディア部６２６に記録された番組データ＝録画された放送番組）の再生を指示する。また、視聴・録画動作制御部６８０は、出力切換部２９０に対し放送記録・再生部６２５の出力をモニタ６へ出力するように出力の切換を指示する。
【００７１】
図８は、第２の実施形態に係る放送番組の放送状態および録画状態と、視聴しているコンテンツとの関係を示す図である。なお、図８において、横軸方向は時間の経過を表す。この例ではＶＯＤ視聴に対して従量制の課金がかかるものとする。
【００７２】
時刻ｔ１において、映像再生装置１０１が、放送番組と同じ内容のＶＯＤコンテンツの再生を開始したものとする。
【００７３】
時刻ｔ２において、ユーザからの一時停止指示により、映像再生装置１０１はＶＯＤコンテンツの再生を中断する。視聴・録画動作制御部６８０は、ＶＯＤコンテンツの再生時間Ｔ１（ｔ２−ｔ１）と放送番組の経過時間との比較を開始する。時刻ｔ２においては放送番組が開始されていないため経過時間は０である。
【００７４】
時刻ｔ３において、放送番組が開始される。
【００７５】
時刻ｔ４において、視聴・録画動作制御部６８０は、ＶＯＤコンテンツの再生時間Ｔ１（ｔ２−ｔ１）と放送番組の経過時間Ｔ２（ｔ４−ｔ３）とを比較した結果、時間の差が予め定められた範囲内にあると判定し場合、番組属性情報に従って放送番組の録画を開始する。
【００７６】
例えば、ＶＯＤコンテンツの再生時間Ｔ１が１６分、放送番組の経過時間Ｔ２が１５分、比較に使用する範囲（予め定められた範囲）がＶＯＤコンテンツの再生時間Ｔ１を基準に「２分前から５秒後の範囲」とする。この場合、視聴動作制御部２８０は、ＶＯＤコンテンツの再生時間Ｔ１の１６分に対して放送番組の経過時間Ｔ２が１５分で１分前になり、この１分前は「２分前から５秒後の範囲」に入ると判定し、番組属性情報に従って放送番組の録画を開始する。
【００７７】
時刻ｔ５において、視聴・録画動作制御部６８０は、ユーザからのＶＯＤコンテンツの視聴を再開する指示を受け取った場合、記録した放送番組が録画コンテンツとして存在するかどうかを確認する。この確認した結果、記録した放送番組が録画コンテンツとして存在するときは、ＶＯＤコンテンツの再生の代わりに、記録した放送番組の再生に切り換える。
【００７８】
以上説明したように、第２の実施形態は、放送番組と同じ内容のＶＯＤコンテンツが視聴される際に、放送番組の進行状況とＶＯＤコンテンツの進行状況とを比較し、前記２つの進行状況に対応する内容に差がない場合に、自動的に放送番組を録画し、録画しておいた放送番組の再生に切り換えることができる。したがって、ユーザは、課金の有無に応じて、放送番組またはＶＯＤコンテンツのいずれか優位な方を自動的に視聴することができる。
【００７９】
なお、映像再生装置の構成要素を実現するコンピュータプログラムをコンピュータによる読み取り可能な記録媒体に記録し、この記録媒体に記録されたコンピュータプログラムをコンピュータに読み込ませ、実行することによって本発明の映像再生装置を実現することができる。
【００８０】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００８１】
【図１】第１の実施形態に係る映像再生装置の接続形態を示す図である。
【図２】第１の実施形態に係る映像再生装置の機能構成を示すブロック図である。
【図３】第１の実施形態に係る映像再生装置の視聴動作制御部による処理の処理手順を示すフローチャートである。
【図４】第１の実施形態に係るＶＯＤコンテンツ情報のデータ構成を示す図である。
【図５】第１の実施形態に係る放送番組の放送状態と視聴しているＶＯＤコンテンツとの関係を示す図である。
【図６】第２の実施形態に係る映像再生装置の機能構成を示すブロック図である。
【図７】第２の実施形態に係る映像再生装置の視聴・録画動作制御部による処理の処理手順を示すフローチャートである。
【図８】第２の実施形態に係る放送番組の放送状態および録画状態と視聴しているＶＯＤコンテンツとの関係を示す図である。
【符号の説明】
【００８２】
１    映像再生装置
２    アンテナ
３    インターネット
４    ＶＯＤサーバ
５    リモコン
６    モニタ
２１０    ユーザインターフェース部
２２０    放送受信・再生部
２３０    番組視聴情報取得部
２４０    同一コンテンツ検索部
２５０    ＶＯＤ受信・再生部
２６０    ＶＯＤ視聴情報取得部
２７０    視聴情報記録部
２８０    視聴動作制御部
２９０    出力切換部
６２５    放送記録・再生部
６２６    記録メディア部
６８０    視聴・録画動作制御部
【図１】
2010016587.tif 000003
【図２】
2010016587.tif 000004
【図３】
2010016587.tif 000005
【図４】
2010016587.tif 000006
【図５】
2010016587.tif 000007
【図６】
2010016587.tif 000008
【図７】
2010016587.tif 000009
【図８】
2010016587.tif 000010